(57)【要約】  発光電子テキスタイル２は、可撓性部品担体３であって、前記可撓性部品担体３上に配設される複数の光源４ａ乃至４ｃを持つ可撓性部品担体３と、カバー・テキスタイル５であって、前記光源４ａ乃至４ｃによって放射される光が前記カバー・テキスタイル５を通過することを可能にするよう配設されるカバー・テキスタイル５と、前記光源４ａ乃至４ｃ及び前記カバー・テキスタイル５の間に配設される光拡散部材６とを有する。前記光拡散部材６は、複数の光拡散層１２ａ乃至１２ｃ；１６ａ乃至１６ｂ；１９ａ乃至１９ｃによって形成される層状構造を有し、前記層状構造内の隣接する光拡散層は、少なくとも、前記光拡散部材６の、前記光源４ａ乃至４ｃの位置に対応する箇所においては、間隔をおいて配置される。
2013504086.tif 000002
【特許請求の範囲】
【請求項１】
可撓性部品担体であって、前記可撓性部品担体上に配設される複数の光源を持つ可撓性部品担体と、
カバー・テキスタイルであって、前記光源によって放射される光が前記カバー・テキスタイルを通過することを可能にするよう配設されるカバー・テキスタイルと、
前記光源及び前記カバー・テキスタイルの間に配設される光拡散部材とを有する発光電子テキスタイルであって、
前記光拡散部材が、複数の光拡散層によって形成される層状構造を有し、
前記層状構造内の隣接する光拡散層が、少なくとも、前記光拡散部材の、前記光源の位置に対応する箇所においては、間隔をおいて配置される発光電子テキスタイル。
【請求項２】
前記隣接する光拡散層が、前記層状構造を通過する線に沿った箇所において、互いに異なる曲率半径を呈するようにして、前記光拡散層の少なくとも１つが湾曲される請求項１に記載の発光電子テキスタイル。
【請求項３】
前記層状構造が、少なくとも１回折り重ねられている可撓性シートによって形成される請求項１又は２に記載の発光電子テキスタイル。
【請求項４】
前記層状構造が、少なくとも２つの可撓性シート部であって、前記少なくとも２つの可撓性シート部の各々の境界に沿って結合されている少なくとも２つの可撓性シート部によって形成される請求項１又は２に記載の発光電子テキスタイル。
【請求項５】
前記少なくとも２つの可撓性シート部が、異なる大きさに作られる請求項４に記載の発光電子テキスタイル。
【請求項６】
前記光拡散層の少なくとも１つが、テキスタイル層である請求項１乃至５のいずれか一項に記載の発光電子テキスタイル。
【請求項７】
前記光拡散部材が、不織テキスタイル材料の少なくとも１つのシートを有する請求項６に記載の発光電子テキスタイル。
【請求項８】
前記層状構造内の前記隣接する光拡散層が、前記隣接する光拡散層の１つの厚さの少なくとも４分の１に対応する距離だけ間隔をおいて配置される請求項１乃至７のいずれか一項に記載の発光電子テキスタイル。
【請求項９】
前記カバー・テキスタイルが、前記可撓性部品担体及び前記光拡散部材を少なくとも部分的に囲むよう配設される請求項１乃至８のいずれか一項に記載の発光電子テキスタイル。
【請求項１０】
前記カバー・テキスタイルが、前記光拡散部材を圧縮するよう構成される請求項９に記載の発光電子テキスタイル。
【請求項１１】
前記カバー・テキスタイルが、反射性カバー・テキスタイル部と、透過性カバー・テキスタイル部とを有し、前記反射性カバー・テキスタイル部が、前記透過性カバー・テキスタイル部と比べて、より高い光反射率及びより低い光透過率を持つ請求項９又は１０に記載の発光電子テキスタイル。
【請求項１２】
前記透過性カバー・テキスタイル部が、前記光源の少なくとも１つから直接的に前記拡散部材を通過した光を受け取るよう配設される請求項１１に記載の発光電子テキスタイル。
【請求項１３】
発光電子テキスタイルを製造する方法であって、
可撓性部品担体であって、前記可撓性部品担体上に配設される複数の光源を持つ可撓性部品担体を設けるステップと、
複数の光拡散層によって形成される層状構造を有する光拡散部材を、前記光源の上に設けるステップと、
前記層状構造内の隣接する光拡散層が、少なくとも、前記光拡散部材の、前記光源の位置に対応する箇所においては、間隔をおいて配置されるようにして、前記可撓性部品担体及び前記光拡散部材を、カバー・テキスタイルによって囲むステップとを有する方法。
【請求項１４】
前記囲むステップが、
ほぼ筒状のテキスタイル構造の形態の前記カバー・テキスタイルを設けるステップと、
前記可撓性部品担体及び前記光拡散部材を、前記ほぼ筒状のテキスタイル構造内に挿入するステップとを有する請求項１３に記載の方法。
【発明の詳細な説明】
【技術分野】
【０００１】
本発明は、発光電子テキスタイル、及びこのような発光電子テキスタイルを製造する方法に関する。
【背景技術】
【０００２】
発光ダイオード（ＬＥＤ）などの光源をテキスタイルアプリケーションに組み込み、それにより、発光電子テキスタイルを作成することによって、魅力的な視覚効果が得られ得る。
【０００３】
一般に、現在入手可能な発光電子テキスタイルは、解像度がかなり低い、即ち、隣接する光源間の間隔が、相対的に大きい。更に、エンドユーザは、多くの場合、発光電子テキスタイルが、光源が光の孤立した点ではない印象を与えることを好むことが分かった。
【０００４】
この理由のため、現在提案されている発光電子テキスタイルには、発光電子テキスタイルからの光のより一様な出力を達成するよう、光源の上に配設される拡散素子が設けられている場合がある。
【０００５】
そこで開示されている発光電子テキスタイルによる光出力の一様性をさらにもっと改善するため、WO 2006/129246は、異なる密度を持つ不織布の２つの層によって形成される拡散素子を開示している。
【０００６】
しかしながら、テキスタイルのような機械的特性を持ち、それによって、光出力の優れた一様性を供給し、製造しやすい発光電子テキスタイルを達成するための努力における改善の余地が依然としてあるように思われる。
【発明の概要】
【発明が解決しようとする課題】
【０００７】
本発明の広い目的は、従来技術の上記及び他の不利な点を鑑みて、改善された発光電子テキスタイルを提供することである。
【課題を解決するための手段】
【０００８】
本発明の第１の態様によれば、可撓性部品担体であって、前記可撓性部品担体上に配設される複数の光源を持つ可撓性部品担体と、カバー・テキスタイルであって、前記光源によって放射される光が前記カバー・テキスタイルを通過することを可能にするよう配設されるカバー・テキスタイルと、前記光源及び前記カバー・テキスタイルの間に配設される光拡散部材とを有する発光電子テキスタイルであって、前記光拡散部材が、複数の光拡散層によって形成される層状構造を有し、前記層状構造内の隣接する光拡散層が、少なくとも、前記光拡散部材の、前記光源の位置に対応する箇所においては、間隔をおいて配置される発光電子テキスタイルが提供される。
【０００９】
前記可撓性部品担体は、例えば、可撓性プリント回路基板、又は導体線を有するテキスタイル基板を含み得る。このようなテキスタイル基板は、例えば、織り合わされた導電性の糸及び非導電性の糸を用いて形成され得る。
【００１０】
本発明は、一様な光の出力及びテキスタイルのような機械的特性を呈する発光電子テキスタイルは、前記発光電子テキスタイルに含まれる前記光源によって出力される光を、隣接する光拡散層が間隔をおいて配置される多層拡散構造を用いて拡散させることによって達成され得るという認識に基づいている。
【００１１】
光拡散層間の境界面及び空気のため、既知の発光電子テキスタイルと比べて、より少ない光拡散材料を用いながらも、非常に効率的な光拡散が達成され得る。より少ない光拡散材料の使用は、前記光拡散部材において発生する吸収及び後方散乱を減らすことができ、これは、前記発光電子テキスタイルの出力効率を高める。
【００１２】
更に、隣接する光拡散層の間の間隔をあけることは、前記隣接する光拡散層の間の相対的な動きを容易にし、これは、前記発光電子テキスタイルのよりテキスタイルのよう機械的特性を供給する。
【００１３】
前記層状構造内の隣接する光拡散層の間の間隔をあけることは、有利には、前記隣接する光拡散層が、前記層状構造を通過する線に沿った箇所において、互いに異なる曲率半径を呈するようにして、前記光拡散層の少なくとも１つが湾曲されるように、前記光拡散部材に含まれる前記層状構造を構成することによって、達成され得る。これによって、前記光拡散層の固有弾性が、前記隣接する光拡散層が間隔をあけられたままにするよう作用するばね力をもたらすだろう。前記光拡散部材に含まれる前記層状構造のこの構成は、様々な方法で達成され得る。下に、隣接する光拡散層が、前記光拡散部材に対してほぼ垂直に、前記層状構造の前記光拡散層を全て通過する直線に沿った箇所において、互いに異なる曲率半径を呈する幾つかの異なる例示的な実施例を示す。
【００１４】
様々な実施例によれば、前記層状構造は、有利には、少なくとも１回折り重ねられている可撓性シートによって形成され得る。前記層状構造を設けるこの方法は、従来通りのテキスタイル製造に非常に合っており、これは、低い製造コストを可能にし、潜在的な製造設備の広い選択肢を与える
【００１５】
更に、前記層状構造は、少なくとも２つの可撓性シート部であって、前記少なくとも２つの可撓性シート部の各々の境界に沿って配設される少なくとも１つの継手によって結合されている少なくとも２つの可撓性シート部によって形成され得る。
【００１６】
明らかに、前記可撓性シート部は、裁縫、溶接、融着などのような、当業者には既知の任意の結合技術を用いて結合され得る。
【００１７】
或る例によれば、前記少なくとも１つの継手は、前記光拡散部材に含まれる前記層状構造内の隣接する光拡散層の間に配設され得る。
【００１８】
更に、結合される前記少なくとも２つの可撓性シート部は、異なる大きさに作られ得る。このようにして異なる大きさに作られたシート部を結合することによって、隆起が得られることができ、それによって、隣接する光拡散層は、スペーサ部材などの付加的な構造を用いずに、間隔をおいて配置されることができる。
【００１９】
更に、前記光拡散層の少なくとも１つは、テキスタイル層であり得る。前記層状構造は、とりわけ、少なくとも１回折り重ねられている可撓性シートによって、又は少なくとも２つの異なる大きさに作られた可撓性シート部であり、前記可撓性シート部の少なくとも１つが、テキスタイルシート部である可撓性シート部であって、前記可撓性シート部の各々の境界に沿って結合されている可撓性シート部によって、形成され得る。
【００２０】
本願の文脈においては、「テキスタイル」は、完全に又は部分的に織物繊維で作成される材料又は製品と理解されるべきである。前記テキスタイルは、例えば、織ること、より合わせること、編むこと、かぎ針編みをすること、キルティングすること、又はフェルトに作ることによって、製造され得る。詳細には、テキスタイルは、織られていてもよく、又は織られてなくてもよい。
【００２１】
前記光拡散部材は、有利には、不織テキスタイル材料の少なくとも１つのシートを含み得る。なぜなら、不織テキスタイル材料は、前記発光電子テキスタイルの望ましいテキスタイルのような機械的特性と光の効率的な拡散との組み合わせを供給するのに適しているからである。
【００２２】
前記光拡散部材の、前記光源の位置に対応する箇所において、前記隣接する光拡散層の間の間隔をあけることにおいて、高度な堅牢さを供給するため、前記層状構造内の前記隣接する光拡散層は、有利には、少なくとも前記層状構造のどこかで、前記隣接する光拡散層の１つの厚さの少なくとも４分の１に対応する距離だけ間隔をおいて配置され得る。
【００２３】
前記光拡散部材の、前記光源の位置に対応する箇所において、前記隣接する光拡散層の間の間隔をあけることにおいて、更に高度な堅牢さを供給するためには、前記層状構造内の前記隣接する光拡散層は、有利には、少なくとも前記層状構造のどこかで、前記隣接する光拡散層の１つの厚さの少なくとも２分の１に対応する距離だけ間隔をおいて配置され得る。
【００２４】
この文脈において、不織テキスタイルなどの、様々な光拡散材料で作成される光拡散層は、その表面から延在する繊維を持ち得ることに注意されたい。前記表面から突き出るこのような繊維は、前記光拡散層の厚さに含まれると解釈されるべきではない。
【００２５】
様々な実施例によれば、更に、前記カバー・テキスタイルは、前記可撓性部品担体及び前記光拡散部材を囲むよう配設され得るとりわけ、前記カバー・テキスタイルは、前記光拡散部材を圧縮するよう構成され得る。それによって、前記層状構造内の隣接する光拡散層の間の間隔を堅牢且つ一様にあけることが、達成され得る。
【００２６】
更に、前記カバー・テキスタイルは、反射性カバー・テキスタイル部と、透過性カバー・テキスタイル部とを有してもよく、前記反射性カバー・テキスタイル部は、前記透過性カバー・テキスタイル部と比べて、より高い光反射率及びより低い光透過率を持つ。この構成により、前記光源によって放射される光は、更にもっと拡散されることができ、前記発光電子テキスタイルからの光の出力は、それの、光の出力が望ましい箇所へ制御されることができる。
【００２７】
この目的のため、前記透過性カバー・テキスタイル部は、有利には、前記光源の少なくとも１つから直接的に前記拡散部材を通過した光を受け取るよう配設され得る。
【００２８】
本発明の第２の態様によれば、発光電子テキスタイルを製造する方法であって、可撓性部品担体であって、前記可撓性部品担体上に配設される複数の光源を持つ可撓性部品担体を設けるステップと、複数の光拡散層によって形成される層状構造を有する光拡散部材を、前記光源の上に設けるステップと、前記層状構造内の隣接する光拡散層が、少なくとも、前記光拡散部材の、前記光源の位置に対応する箇所においては、間隔をおいて配置されるようにして、前記可撓性部品担体及び前記光拡散部材を、カバー・テキスタイルによって囲むステップとを有する方法が提供される。
【００２９】
前記囲むステップは、ほぼ筒状のテキスタイル構造の形態の前記カバー・テキスタイルを設けるステップと、前記可撓性部品担体及び前記光拡散部材を、前記ほぼ筒状のテキスタイル構造内に挿入するステップとを有してもよい。
【００３０】
本発明のこの第２の態様と関連する他の実施例及び効果は、本発明の第１の態様のために上で示したものとだいたい類似している。
【００３１】
ここで、本発明の現在好ましい実施例を示している添付の図面を参照して、本発明のこれら及び他の態様をより詳細に記載する。
【図面の簡単な説明】
【００３２】
【図１】本発明による発光電子テキスタイルの様々な実施例の例示的なアプリケーションを概略的に図示する。
【図２】図１の発光電子テキスタイルの拡大斜視図である。
【図３】図１の発光電子テキスタイルの例示的な実施例の概略的な断面図である。
【図４】図１の発光電子テキスタイルの別の例示的な実施例の概略的な断面図である。
【図５】図１の発光電子テキスタイルの他の例示的な実施例の概略的な断面図である。
【図６】本発明の実施例による製造方法を概略的に図示するフローチャートである。
【発明を実施するための形態】
【００３３】
以下の記載においては、本発明は、光拡散部材が、筒状カバー・テキスタイルによって囲まれる１枚又は数枚の不織テキスタイル材料によって形成される発光電子テキスタイルに関して、記載されている。
【００３４】
このことは、決して、本発明の範囲を限定せず、本発明は、カバー・テキスタイルが、異なるように、例えば、可撓性部品担体に取り付けられる片側カバーとして、設けられる他の発光電子テキスタイルにも等しく適用可能であることに注意されたい。更に、光拡散部材は、発光電子テキスタイルにおける使用に適した、織られたテキスタイルの層、発泡層、又は様々な光拡散材料の層などの、複数の光拡散層によって形成される任意の他の適切な層状構成の層状構造によって形成されてもよい。
【００３５】
図１は、本発明による発光電子テキスタイルの様々な実施例の例示的なアプリケーションを、ズボン１の股下の長さに沿って走るストライプ状発光電子テキスタイル２を備えるズボン１の形態で、概略的に図示している。図１において概略的に示されているように、発光電子テキスタイル２は、絶え間なく色が変化しているように見えるように光を放射する。この外観は、発光電子テキスタイル２に含まれる光拡散部材による、ここでは光拡散と呼ばれる、光の分散を通して、可能になる。
【００３６】
図面に示されているように、図２は、図１の発光電子テキスタイル２の拡大された一部を、部分的に切断された斜視図で、概略的に示している。図２を参照すれば、発光電子テキスタイル２は、可撓性部品担体３であって、その上に配設される複数の光源４ａ乃至４ｄを備える可撓性部品担体３と、可撓性部品担体３を囲むよう配設されるカバー・テキスタイル５と、光源４ａ乃至４ｄ及びカバー・テキスタイル５の間に配設される光拡散部材６とを有する。
【００３７】
図２に示されている例示的な実施例においては、可撓性部品担体は、テキスタイル・リボン３であって、その上に配設される複数のＬＥＤ４ａ乃至４ｄを備えるテキスタイル・リボン３の形態で設けられる。ＬＥＤ４ａ乃至４ｄは、図２では見えないが、テキスタイル・リボン３の長さに沿って延在する導電性織り糸に電気的に接続される。
【００３８】
光拡散部材６は、層状構造であって、前記層状構造内の光拡散層のうちの少なくとも１つが、隣接する光拡散層が、光拡散部材６の層状構造を通過する線に沿った箇所において互いに異なる曲率半径を呈するようにして、湾曲される層状構造を有する。図２において見える例示的な光拡散部材６は、２つの空隙８ａ乃至８ｂを形成するよう２回織り重ねられる不織テキスタイル・シート７の形態で設けられる。光拡散部材６のこの構成は、本発明による発光電子テキスタイル２の例示的な実施例の断面図である図３を参照して、下で、より詳細に記載する。
【００３９】
図３を参照すれば、図２に示されている構成とほぼ同じ構成を持つ、図１の発光電子テキスタイル２の実施例が、概略的に示されている。しかしながら、図３に示されている実施例においては、カバー・テキスタイル５は、反射性カバー・テキスタイル部１０ａと、透過性カバー・テキスタイル部１０ｂとを持つ。反射性カバー・テキスタイル部１０ａは、可撓性部品担体３に面する反射面を持つ。反射面は、例えば、ガラス繊維などの反射性繊維で作成された反射性カバー・テキスタイル部１０ａを設けることによって、反射性カバー・テキスタイル部１０ａの内面に反射性コーティングを設けることによって、又は反射性カバー・テキスタイル部１０ａに反射性ホイルなどの可撓性反射器を取り付けることによって、達成され得る。
【００４０】
再び図３を参照すれば、光拡散部材６の層状構造によって達成される光拡散が、ここでは、ＬＥＤ４ａによって放射される単一の光線を部分的にたどることによって、記載されている。図３を見て分かるように、ＬＥＤ４ａによって放射された光線１１は、まず、折り重ねられている不織テキスタイル・シート７によって形成された第１光拡散層１２ａに当たる。光線は、第１光拡散層１２ａにおいて、図３において点線矢印によって概略的に示されているように、拡散される、即ち、分散される。次いで、図３を見て分かるように、拡散された光線は、間隔をおいて配置された光拡散層１２ａ乃至１２ｃの間の空隙、並びに第２光拡散層１２ｂ及び第３光拡散層１２ｃを通過し、更に分散される。図３を研究することで理解され得るように、相対的に少ない量の光拡散材料で、非常に効率的な光拡散が達成され得る。更に、光拡散層１２ａ乃至１２ｃは、発光電子テキスタイル２が曲げられる場合に、少なくとも多少は、互いに対して自由に動くことができ、これは、発光電子テキスタイル２のテキスタイル感を供給する。
【００４１】
図３において概略的に示されているように、図３において特に光線１３によって示されている幾らかの光は、反射性カバー・テキスタイル部１０ａに向けられるだろう。そしてそこで、光線１３は、透過性カバー・テキスタイル部１０ｂを通って発光電子テキスタイル２を出る前に、反射され、更に拡散される。
【００４２】
上で、図２に関連して手短に言及したように、不織テキスタイル・シート７を折り重ねることによってもたらされるばね力によって、隣接する光拡散層１２ａ乃至１２ｃは、間隔をおいて配置される。図３において概略的に図示されているように、隣接する光拡散層、この場合には、上部光拡散層１２ｃ及び中央光拡散層１２ｂは、両方とも、それらが、光拡散部材６の層状構造を通過する線１４を沿った箇所Ｐ１及びＰ２において互いに異なる曲率半径Ｒ１、Ｒ２を呈するようにして、湾曲される。
【００４３】
図４は、図１の発光電子テキスタイルの別の例示的な実施例の概略的な断面図である。この実施例は、光拡散部材６が、２つの可撓性シート部１６ａ乃至１６ｂによって形成される層状構造を有し、２つの可撓性シート部１６ａ乃至１６ｂが、２つの可撓性シート部１６ａ乃至１６ｂによって形成される光拡散層の間に配設される継手１７によって結合される点で、図３に関して記載されている実施例と異なる。図４において概略的に図示されているように、継手１７のこの構成は、隣接する光拡散層１６ａ乃至１６ｂが、両方とも、それらが、光拡散部材６の層状構造を通過する線１４を沿った箇所Ｐ１及びＰ２において互いに異なる曲率半径Ｒ１、Ｒ２を呈するようにして、湾曲されることをもたらす。
【００４４】
図５は、図１の発光電子テキスタイルの他の例示的な実施例の概略的な断面図である。この実施例は、光拡散部材６が、３つの異なるサイズの可撓性シート部１９ａ乃至１９ｃによって形成される層状構造を有し、３つの異なるサイズの可撓性シート部１９ａ乃至１９ｃが、継手２０によって、それらの各々の境界に沿って結合される点で、図４に関して記載されている実施例と異なる。この構成も、先と同様に、隣接する光拡散層１９ａ乃至１９ｂが、両方とも、それらが、光拡散部材６の層状構造を通過する線１４を沿った箇所Ｐ１及びＰ２において互いに異なる曲率半径Ｒ１、Ｒ２を呈するようにして、湾曲されることをもたらす。
【００４５】
図３乃至５においてＲ１、Ｒ２などで示されている矢印は、単に、関連交点Ｐ１、Ｐ２間の一般的な方向、及びそれらの各々の曲率中心を示しているに過ぎないことに注意されたい。
【００４６】
ここで、図６のフローチャート及び図２を参照して、本発明の実施例による発光電子テキスタイルを製造するための方法の実施例について記載する。
【００４７】
第１ステップ６０１においては、可撓性部品担体３であって、その上に配設される複数の光源４ａ乃至４ｄを持つ可撓性部品担体３が設けられる。その後、ステップ６０２においては、複数の光拡散層によって形成される層状構造を有する光拡散部材６が、光源４ａ乃至４ｄを覆うよう、可撓性部品担体３の上に設けられる。光拡散部材は、有利には、例えば、光拡散部材の表面を、可撓性部品担体３の表面上のランダムな箇所にラッチ係合することによって、又は接着剤などの何らかの種類の接着部材、若しくは機械的接続のためのコネクタを用いて、可撓性部品担体に取り付けられ得る。ステップ６０３においては、ほぼ筒状のカバー・テキスタイル５が設けられ、最後に、ステップ６０４において、カバー・テキスタイル５内に光拡散部材６が挿入される。
【００４８】
更に、当業者は、請求項記載の発明の実施において、図面、明細及び添付の請求項の研究から、開示されている実施例に対する変形を、理解し、達成することができる。請求項において、「有する」という用語は、他の要素又はステップを除外せず、単数形表記は、複数の存在を除外しない。請求項において列挙されている幾つかのアイテムの機能を単一のプロセッサ又は他のユニットが実現してもよい。特定の手段が、相互に異なる従属請求項において引用されているという単なる事実は、これらの手段の組み合わせが有利になるように使用されることができないと示すものではない。
【図１−２】
2013504086.tif 000003
【図３】
2013504086.tif 000004
【図４】
2013504086.tif 000005
【図５】
2013504086.tif 000006
【図６】
2013504086.tif 000007
【国際調査報告】
2013504086.tif 000008
2013504086.tif 000009
2013504086.tif 000010